(57)【特許請求の範囲】
【請求項１】
通信ネットワークにおいて第１の契約者口座に関連した使用者がネットワークにおける別の契約者口座を使用して呼を行っている可能性が高いかどうかを決定するシステムにおいて、ネットワークは、契約者口座情報および呼出された番号を含む口座に関連した呼ロギング情報のデータベース（16）を具備している請求システム（12）を含み、各契約者口座は契約者の名前およびアドレスに関する情報を具備しており、システムは、使用において、別の契約者口座を選択するために、データベース（16）の呼ロギング情報にアクセスして、第１の口座に関連した一組の呼出された番号および選択された別の口座に関連した一組の呼出された番号を得て、それぞれに得られた番号の組を比較し、異なる呼出された番号の同じセットが組の各々に起こっているか否かを判断し、それが起こっている場合、使用者が選択された別の契約者口座を使用して呼を行っている可能性が高いという表示（26）を与える処理手段（20,22,24,32,34）を具備しているシステム。
【請求項２】
呼出された番号が組の各々に同じ回数起こっているか否かを判断するため、処理手段（20,22,24,32,34）がそれぞれ得られた組を比較するように構成されている請求項１記載のシステム。
【請求項３】
通信ネットワークにおいて不正行為を探知するためのシステムにおいて、各契約者口座はさらに、設定されたときにその口座が予め定められた負債状況にある負債口座であることを示す設定可能なインジケータを具備し、システムにおける処理手段（20,22,24,32,34）は、負債口座である第１の契約者口座に応じて動作するように構成され、表示（26）が与えられた場合、それは選択された別の契約者口座が不正申込みの可能性の高い口座であることを示している請求項１または２記載のシステム。
【請求項４】
処理手段（20,22,24,32,34）は、使用において、データベース（16）から別の契約者口座を順次選択し、それによって、第１の口座および別の各契約者口座に関して順に比較を行う請求項３記載のシステム。
【請求項５】
処理手段（20,22,24,32,34）は、負債口座のリスト（22）に第１の口座を含ませる手段（20）と、使用において、選択された別の契約者口座および前記リスト（22）中の各負債口座に関して順に比較を行う手段（24）とを含んでいる請求項３記載のシステム。
【請求項６】
処理手段（20,22,24,32,34）は、アドレスが第１の契約者口座のアドレスと整合する整合された契約者口座を別の契約者口座として選択するように構成され、そこにおいて、処理手段（20,22,24,32,34）は、負債口座のリスト（22）に第１の口座を含ませる手段（20）を含む請求項３記載のシステム。
【請求項７】
処理手段（20,22,24,32,34）は、負債口座のリスト（22）に対応する整合された契約者口座のリスト（32）に整合された契約者口座を含ませる手段（20）と、リスト（32）における整合された契約者口座に関連した呼出された番号のそれぞれの組を整合された契約者口座に対応する負債口座に関連した呼出された番号のそれぞれの組と比較する手段（24）とを含んでいる請求項６記載のシステム。
【請求項８】
処理手段（20,22,24,32,34）は、負債口座ではない契約者口座を別の各口座として選択するように構成されている請求項３乃至７記載のシステム。
【請求項９】
さらに、不正申込みの可能性の高い口座であるという表示（26）に応じて、不正申込みの可能性の高い口座の名前およびアドレスに関する情報に従って標準のレターを郵便で発送する手段（28）を含む請求項３乃至８のいずれか１項記載のシステム。
【請求項１０】
通信ネットワークにおいて使用され、各契約者口座はさらに、口座が不正申込みの可能性の高い口座であるということを示す第２の設定可能なインジケータと、口座が一時的にサービスから外されていることを示す第３の設定可能なインジケータとを具備し、システムにおける処理手段（20,22,24,32,34）は、前記表示（26）を与える際に不正申込みの可能性の高い口座の第２のインジケータを設定するように構成され、さらに、システムは、前記表示の受取りおよびその受取りからの予め定められた期間の満了に応じて、前記期間の満了において第２のインジケータが依然として設定されている場合に第３のインジケータを設定する手段（30）を含んでいる請求項３乃至９のいずれか１項記載のシステム。
【請求項１１】
通信ネットワークにおいて第１の契約者口座に関連した使用者がネットワークにおける別の契約者口座を使用して呼を行っている可能性が高いかどうかを決定する方法において、ネットワークは、契約者口座情報および呼出された番号を含む口座に関連した呼ロギング情報のデータベース（16）を具備している請求システム（12）を含み、各契約者口座は、契約者の名前およびアドレスに関する情報を具備しており、その方法は、別の契約者口座を選択するためにデータベース（16）の呼ロギング情報にアクセスし、第１の口座に関連した一組の呼出された番号および選択された別の口座に関連した一組の呼出された番号を得て、それぞれに得られた番号の組を比較し、異なる呼出された番号の同じセットが組の各々に起こっているか否かを判断し、それが起こっている場合、使用者が選択された別の契約者口座を使用して呼を行っている可能性が高いという表示（26）を与えるステップを具備している方法。
【請求項１２】
呼出された番号が組の各々に同じ回数起こっているか否かを判断するため、それぞれ得られた組を比較することをさらに含む請求項１１記載の方法。
【請求項１３】
通信ネットワークにおいて不正行為を探知するために、各契約者口座はさらに、設定されたときにその口座が予め定められた負債状況にある負債口座であることを示す設定可能なインジケータを具備し、第１の契約者口座は負債口座であり、表示（26）が与えられた場合、それは選択された別の契約者口座が不正申込みの可能性の高い口座であるということを示している請求項１１または１２記載の方法。
【請求項１４】
別の契約者口座は、データベース（16）から順次選択され、そのような比較は、第１の口座および別の各契約者口座に関して順に行われる請求項１３記載の方法。
【請求項１５】
第１の口座は負債口座のリスト（22）に含まれており、比較は、選択された別の契約者口座および前記リスト（22）における各負債口座に関して順に行われる請求項１３記載の方法。
【請求項１６】
別の契約者口座は、アドレスが第１の契約者口座のアドレスと整合する整合された契約者口座であり、第１の口座は、負債口座のリスト（22）に含まれている請求項１３記載の方法。
【請求項１７】
整合された契約者口座は、負債口座のリスト（22）に対応する整合された契約者口座のリスト（32）に含まれ、リスト（32）中の整合された契約者口座と関連する呼出された番号のそれぞれの組は、整合された契約者口座に対応する負債口座に関連する呼出された番号のそれぞれの組と順に比較される請求項１６記載の方法。
【請求項１８】
選択された別の各口座は、負債口座ではない契約者口座である請求項１３乃至１７のいずれか１項記載の方法。
【請求項１９】
さらに、不正申込みの可能性の高い口座の名前およびアドレスに関する情報に従って標準のレターを郵便で発送することによって不正申込みの可能性の高い口座の表示（26）に応じることを含んでいる請求項１３乃至１８のいずれか１項記載の方法。
【請求項２０】
各契約者口座はさらに、口座が不正申込みの可能性の高い口座であるということを示す第２の設定可能なインジケータと、口座が一時的にサービスから外されていることを示す第３の設定可能なインジケータとを具備しており、前記表示（26）が与えられる際に不正申込みの可能性の高い口座の第２のインジケータも設定され、さらに、前記表示の受取りおよびその受取りからの予め定められた合間の期間の満了に応答して、前記予め定められた期間の満了において第２のインジケータが依然として設定されている場合に第３のインジケータを設定するステップを含んでいる請求項１３乃至１９のいずれか１項記載の方法。
【発明の詳細な説明】
発明の背景
発明の分野
本発明は、通信ネットワークにおける負債管理に関し、それだけに限定されるものではないが、特に、不正行為の行われる契約者の口座の探知に関する。
従来技術の説明
英国公共交換電話回線網（ＰＳＴＮ）等の新式の通信ネットワークにおいて、請求システムは、負債管理を含む精巧な機能のセットであり、それは標準的なレターの発行を含む未払いの回収を進めるプロセスである。そのような請求システムは、文献（British Telecommunications Engineering, Volume 11, Part 4,（January 1993）の２７３乃至２７８ページ）に詳細に説明されている。
本発明の目的は、原則的に通常電話サービスである通信サービスへの不正な申込みに対抗することである。
本発明の第１の見地によれば、通信ネットワークにおける第１の契約者口座に関連する使用者がネットワークにおける別の契約者口座を使用して呼を行っているおそれが多いかどうかを決定するためのシステムが提供されており、そのネットワークは、契約者口座の情報のデータベースおよび呼出された番号を含む口座に関連した呼ロギング情報のデータベースを具備している請求システムを含み、各契約者口座は、契約者の名前およびアドレスの情報を具備しており、システムは、別の契約者口座を選択するために使用においてデータベースをアクセスし、第１の口座に関連する一組の呼出された番号と、選択された別の口座に関連する一組の呼出された番号とを得て、それぞれ得られた組を比較し、２つの契約者口座の呼特徴の類似性の程度が予め定められた規準と合う場合、使用者は選択された別の契約者口座を使用して呼を行っていることを示す表示を与える処理手段を具備している。
予め定められた規準において、呼出された番号の比較された組の一方において生じる予め定められた番号を有している呼出された番号は、比較された組の他方において生じるものと同じ番号を有していることが要求される。
その代り、もしくは付加的に、その規準において、呼出された番号の比較された組の一方において生じる一組の異なる呼び出された番号はまた、比較された組の他方においても生じることが要求される。
システムは、通信ネットワークにおいて不正行為を探知するために使用されることができ、そこにおいて、各契約者口座はさらに、それが設定されたときにその口座が予め定められた負債状況にある負債口座であることを示す設定可能なインジケータを具備している。そのような場合において、処理手段は、負債口座である第１の契約者口座に応答して動作するように構成され、表示が与えられた場合、それは、選択された別の契約者口座が不正申込みの可能性の高い口座である。
そのようなシステムにおいて、処理手段は、使用において、データベースから順次別の契約者口座を選択し、それによって、第１の口座および別の各契約者口座に関して順に比較を行う。選択肢として、処理手段は、負債口座のリストに第１の口座を含ませる手段と、使用において、選択された別の契約者口座および前記リストにおける各負債口座に関して順に比較を行う手段とを具備してもよい。別の選択肢として、処理手段は、アドレスが第１の契約者口座のアドレスと整合する整合された契約者口座を別の契約者口座として選択するように構成されてもよく、また、処理手段は、負債口座のリスト中に第１の契約者口座を含ませる手段を備えてもよい。そのような場合において、処理手段は、負債口座のリストに対応する整合された契約者口座のリスト中の整合された契約者口座を含ませる手段と、リストにおける整合された契約者口座に関連するそれぞれの組の呼び出された番号と整合された契約者口座に対応する負債口座に関連するそれぞれの組の呼び出された番号とを順に比較する手段とを含んでいてもよい。
上述のように、このシステムが通信ネットワークにおいて不正行為を探知するために使用された場合、処理手段は、負債口座ではない契約者口座を別の口座として選択するように構成されることもできる。選択的もしくは付加的に、システムは、不正申込みの可能性の高い口座であるという表示に応じて、不正申込みの可能性の高い口座の名前およびアドレスに従って標準のレターを郵便によって発送する手段を含んでいてもよい。
さらに、通信ネットワークにおいて使用されるそのようなシステムにおいて、各契約者口座はさらに、その口座が不正申込みの可能性の高い口座であることを示す第２の設定可能なインジケータと、その口座が一時的にサービスから外れされることを示す第３の設定可能なインジケータとを具備することができる。そのような場合において、処理手段はまた、前記表示が与えられたときに、不正申込みの可能性の高い口座の第２のインジケータを設定するように構成され、システムはさらに、前記表示の受取りおよびその受取りからの予め定められた期間の満了に応じ、第２のインジケータが依然として設定されている場合に第３のインジケータを設定する手段を含んでいる。
本発明の第２の見地によれば、通信ネットワークにおける第１の契約者口座に関連する使用者がネットワークにおける別の契約者口座を使用して呼を行っている可能性が高いかどうかを決定するための方法が提供されており、そのネットワークは、契約者口座の情報のデータベースおよび呼出された番号を含む口座に関連した呼ロギング情報のデータベースを具備している請求システムを含み、各契約者口座は、契約者の名前およびアドレスの情報を具備しており、この方法は、別の契約者口座を選択するために使用においてデータベースをアクセスし、第１の口座に関連する一組の呼出された番号と、選択された別の口座に関連する一組の呼出された番号とを得て、それぞれ得られた組を比較し、２つの契約者口座の呼特徴の類似性の程度が予め定められた規準と合う場合、使用者は選択された別の契約者口座を使用して呼を行っていることを示す表示を与えるステップを具備している。
次の文献について注目すべきである。EP-A-0212654号において、使用料金通信ネットワークが開示されており、そこにおいて、呼出しをしている契約者によって発生された呼は、呼に関係する請求金額番号が滞納等の予め定められた状態にあるときには締め出される。使用料金通信ネットワークは、この状態にある全ての請求番号のリストを含んでいる。1994年2月16日に公表されたEP-A-0583135号において、さらに、呼発生位置の各セットにいわゆる“スクリーニングフィルタ”が含まれている仮想通信ネットワークが開示されている。このフィルタによって、対応する発生位置のセットからの呼の前歴に依存して、対応する発生位置のセットから呼の目的地の各セットへの呼は個々のベースで許可または拒否される。
【図面の簡単な説明】
本発明の実施例は、図面を参照にして例によって説明される。
図１は、通信ネットワーク用の既知の契約者サービスシステムの概略的ブロック図である。
図２は、図１の契約者サービスシステムの部分を形成する既知の請求システムの概略的ブロック図である。
図３は、図２の請求システムと関連した本発明の不正行為探知システムの概略的ブロック図である。
実施例
図１において示されているように、請求システムは、英国の公共電話交換回線網（ＰＳＴＮ）の一部を形成する契約者サービスシステム（ＣＳＳ）の全体の幾つかの素子の１つである。ＣＳＳは、契約者と直接に向かい合う活動の範囲を完全にカバーする５０以上の個別の素子を具備している。これらの素子の最も重要なものおよびそれらの相互関係は図１に示されているが、本発明の目的のために、請求システム12のみが詳細に説明される。
ＰＳＴＮの一部を形成する記憶されたプログラム制御（ＳＰＣ）交換機（図示されていない）は、呼出しを行っている契約者に応答し、呼の詳細、すなわち、呼出し側の番号、呼出された番号、日付、呼の開始時間、および呼の終了時間を呼ロギング記憶装置14に送る。
請求システム12は、呼の期間、呼出された番号までの距離、および時刻に特有の料金帯を算定するためにこの情報を処理し、呼料金を生成する。その後、料金の明細は、呼出し側の番号に対する契約者口座記憶装置16に記憶され、契約者の電話の請求金額が用意されたときに、呼の詳細のセットおよび呼番号に対する記憶された料金は、印刷されるために検索され、呼出し側の番号に対する契約者口座記憶装置において入力された名前およびアドレスに従って契約者に送られる。
図２において示されている請求システム12の負債管理素子すなわちサブシステム18の下で、契約者には口座に関する報告書の発送の数週間後に第１の催促状が送られる。さらに数週間後に第２の催促状が送られ、それは、滞納に関してネットワークオペレータ（会計職員）によって積極的な行動が取られる前の以下説明する会計期間の終りである。請求システム12およびＣＳＳ10をより詳細に知るために、上述の文献British Telecommunications Engeneeringを引用する。
図１および２において示された既知のＣＳＳ10および請求システム12の下で、負債管理サブシステム18は、負債を返済するようにネットワークオペレータによって決定が下される前の数週間の間に請求金額の滞納を処理することができる。ところで、契約者は、（ネットワークオペレータに未払いの負債はないと申告する等、）不正に電話サービスに申し込むことができる。不正な契約者は、同じアドレスで異なる名前で申し込むこともあり、請求金額が未払いである会計期間の終りに契約者がそのようなことをした場合、不正な申込みをした人の新しい口座の呼料金は、不正が探知される時までには非常に多額になっている。そのような不正行為によってネットワークオペレータの収益が奪われるだけでなく、不正に申し込まれた口座を使用して国際電話がかけられた場合、その料金を抱える羽目になってしまう。
個人または企業等の不正な契約者は、探知を避けるために故意にアドレスおよび名前を変えることもある。
本発明は、呼特徴の類似性に基づいて、ある契約者が別の契約者と同一人物であるがどうかを決定することに関する。これは、新しい契約者口座が不正な申込みによって既に獲得されており、それ故に、その口座における請求金額が支払われていない場合に、初期の段階でそれを識別するように、主として通信ネットワークのオペレータによって使用される。
本発明の不正行為探知システムによって、存在している負債を抱えている口座とは異なるアドレスおよび名前を使用している場合でも不正行為を行っている可能性の高い契約者を識別することができる。同じ原理が、契約者の既知の呼の特徴に基づいて不正行為を制限する以外の目的のためにその契約者を位置付けるように使用されることができる。
一実施例において（図２および図３参照）、請求システム12の負債管理サブシステム18は、契約者の請求金額の発送から２１日目の満期までに支払いが受領されていない場合、その日に自動的に契約者口座に設定可能なインジケータ、すなわちフラッグを設定する。その口座は負債口座とされ、厳しさを増した催促状の発送のための処理が開始される。従って、ここにおいて使用されている用語“負債口座”とは、設定されたフラッグによって予め定められた負債状況にあるということが示されている口座を意味している。
支払いが負債口座において受領されたとき、会計職員は通常、負債インジケータをリセットする。別のインジケータもまた後述の負債管理の種々の段階を示すために使用される。
図３において、負債口座のファイル管理装置20は、順に契約者口座記憶装置16における各口座をアクセスし、その口座が設定インジケータを有している場合、管理装置20は所定の口座の明細を負債口座ファイル22と呼ばれるファイル（もしくはリスト）に加える。これらの明細は、口座を識別し、設備アドレスを同じアドレスの新しい契約者口座の設備アドレスと整合することができるのに十分である。個人にとって、設備アドレスは大抵、契約者のアドレスであるが、これは同じ物理的アドレスではない幾つかの装置を有する企業の場合にはそうである必要はない。
ファイル管理装置20は、地域的な請求システムにおいて保持された約２百万の契約者口座をアクセスするのに約３時間かかる。一度、ファイル管理装置20が動作を開始し、ファイル22が生成されると、ファイルをトップアップするために契約者の口座に行われた訂正のリストを検査する必要があるだけである。このトップアップは、日常的に行われている。
ファイル22に付加された新しい負債口座だけではなく、それらのインジケータがリセットされた古い負債口座もまたファイルから削除される。
ファイル管理装置20は、ファイル22をアクセスし、そこにおける負債口座に応じて呼ロギング記憶装置14から最後の請求金額および最後から２番目の請求金額の項目別の呼明細をを検索し、これらを項目別呼ファイル34に書込む。ファイル管理装置20によって行われた日常的なトップアップによって、項目別の呼ファイル34は最新に維持される。
ファイル管理装置20は、負債口座ファイル22をアクセスし、ファイル中の第１のエントリーの設備アドレスの明細を得る。これらから、ファイル管理装置20は契約者口座記憶装置16をアクセスし、同じ設備アドレスを有している口座を捜す。そのような口座は、本明細書において、不正申し込みのおそれのある口座とされる（便宜的にＰＯＳＳと呼ぶ）。ファイル管理装置20は、対応するアドレスの詳細を整合されたアドレスファイル32に書込む。
ファイル管理装置20が契約者口座記憶装置16における全ての口座を検査したときに、負債口座比較器24は、整合された口座ファイル32をアクセスし、各ＰＯＳＳに対して、負債口座のための項目別の呼ファイル34およびＰＯＳＳのための契約者口座記憶装置16を順にアクセスし、それによって、負債口座の最後の２回の会計期間およびＰＯＳＳの最後の４週間について項目別口座からそれぞれの呼出された番号の情報を検索する。比較器は、できる限り早く不正申し込みの可能性の高い口座（本明細書において、便宜的にＰＲＯＢと呼ぶ）を識別するように日常的に動作可能であることが理想的である。比較器24は、ＰＯＳＳの呼特徴が予め定められた規準に従って同じ設備アドレスを有する負債口座と同じ呼特徴を有しているかどうかを見るために検査する。
比較器24は、両方の口座が同じ呼出された番号に対して１０回呼出しを行っていた（記録された）場合、出力信号（表示）を供給する。この要求が満たされない場合、比較器24は次に検索された項目別の各口座において同じ５つの異なる呼出された番号のセットが存在するかどうかを検査し、この要求が満たされた場合に出力信号26を供給する。比較器はまた、設定可能なインジケータを新しい契約者口座に設定し、これはＰＲＯＢであると示す。出力信号26は、新しい口座がＰＲＯＢであることを示し、郵便サービスによってＰＲＯＢの契約者に発送するレターを印刷することによって応答する自動レター発生機28に供給される。そのようなレターは、ＰＲＯＢの負債口座への類似性に言及し、契約者に説明するように求める。
締切り期限回路30は、自動レター発生機28によって発送されたレターの発行日に応答し、口座がＰＲＯＢであったことを示すインジケータをネットワークオペレータがリセットせずに例えばこの発行日から２１日目の予め定められた締切り期限が満了したかどうかを見るために検査する。この場合には、締切り期限回路30は、そのような口座の管理に関する第１のフラッグのセットを設定するために動作する。これらのフラッグは、とりわけ、応答が受取られ、預金に対する要求がなされ、その要求に対する回答が受取られ、口座は一時的にサービスから外されること（ＴＯＳ）を示す。所定の日までに満足な説明を受けないときには、ネットワークオペレータは、契約者へのサービスを保留する。
詳細に説明すると、負債口座ファイル管理装置20は、一組のプログラムによって構成され、ＣＵＳＴ−ＡＣとして知られている契約者口座記録装置における関連したインジケータによって契約者口座記憶装置16における全ての負債口座を識別する第１のプログラムを具備している。各負債口座に対して、同じアドレスの新しい契約者と整合させるために使用される所定の設備アドレスの成分を含んでいる負債口座ファイル22において、エントリーが行われる。
一組のプログラムはまた、契約者口座記憶装置16において現在のサービスを有するアドレスを見つけるために負債口座ファイル22を使用し、それらを整合されたアドレスファイル32に記憶する第２のプログラムを具備している。当座預金のアドレスおよび負債口座のアドレスは、アドレスの所定の成分（例えば、ポストコード、スルーフェア（thoroughfare）ＩＤ、構内番号、および副構内番号等）を使用して整合される。
一組のプログラムはまた、負債口座の最終的な２つの請求書に全ての項目別の呼出しファイル34を生成する第３のプログラムを具備している。このファイルは、そのアドレスの現在の契約者の呼ロギング情報との比較に使用される。
上述の３つのプログラムは、毎日動作してデータベースを日毎に訂正し、それによって、負債口座ファイル22、整合されたアドレスファイル32、および項目別の呼出しファイル34に対応する訂正を行う第４の“トップアップ”プログラムに関連している。
一組のプログラムはまた、呼ロギング記憶装置14と整合されたアドレスファイル32に記憶された全ての口座を検査し、前の週に呼出しを行った負債口座のアドレスの当座預金の保有者を識別する第５のプログラムと、第５のプログラムの出力に応じ、識別された当座預金の保有者によって前４週間の間に行われた全ての呼出しを把握する第６のプログラムとを具備している。
負債口座比較器24は、第３と第６のプログラムの出力を比較し、それによって、負債口座によって呼出された番号および同じアドレスの当座預金を識別するプログラムと、同じ番号に１０回以上呼出しを行うか、もしくは２人の契約者によって５以上の異なる番号に呼出しを行われるという共通の呼パターン（すなわち特性）を有している契約者を識別するプログラムとを具備している。
所望された場合、第５のプログラムが使用される必要はなく、第６のプログラムは、整合されたアドレスファイル32における全ての当座預金の保有者のために動作することができる。
図３の実施例において、負債口座比較器24は、ファイル22における第１のエントリーの設備アドレスの詳細と、契約者口座記憶装置16における、設定された負債口座インジケータを既に有しているエントリー以外の全てのエントリーとを比較し、ファイル22における次のエントリーのための処理を反復するために続行する。図示されていない別の実施例において、比較器24は、契約者口座記憶装置16の第１のエントリーをファイル22における全てのエントリーと比較し、その後、契約者口座記憶装置16における次のエントリーのための処理を反復する。
上述の実施例は、異なる名前で同じアドレスの不正な負債の契約者によって行われる電話サービスに対する不正な申込みの概念に基づいている。別の実施例は、負債を抱えている契約者が新しい住所に移り、異なる名前で電話サービスを申し込むという考えに基づいている。
この後者の実施例において、負債口座ファイル管理装置20は、負債口座ファイル22と、上述の実施例のように、項目別の呼出しファイル34とを生成し、負債口座比較器24は、負債口座の呼特徴と、既に負債口座であると識別されたもの以外の各契約者口座の呼特徴とを照合する。
上述のように、この実施例は、全ての契約者口座を第１の負債口座と照合し、その後、第２およびその他の負債口座と照合し、図示されていないが、別の実施例において、第１の契約者口座は各負債口座と照合され、その後、第２およびその他の契約者口座も照合される。
上述の比較のプロセスは、例えば、１２３（通話クロック）等の所定の呼出された番号に目的を整合する特性を無視し、そのために、両方の口座がこれらの呼出された番号を含む合理的な理由があることが理解される。
上述の実施例のために、負債口座のための呼出された番号の情報は、ファイル管理装置20によって契約者口座記憶装置16から検索され、項目別の呼出しファイル34に記憶され、比較器24は、負債口座に応じて契約者口座記憶装置16から直接にそのような項目別の呼情報を検索する。
さらに、比較器24はシーケンスにおいて２回比較を行うが、呼特徴は、第１の比較だけ、または第２の比較だけに基づいて比較されることができることは理解される。さらに、ＰＲＯＢは、両方の比較によって肯定的な結果が出された場合のみ示されることができる。
上述のＵＫ  ＰＳＴＮは、ＳＰＣ交換機の相互接続されたネットワークを具備している。これは、本発明にとって必須というわけではなく、例えば、受動光ネットワーク技術に基づいたネットワーク等の別の形式の通信ネットワークにおいて実施されることができる。
例えば、名前、アドレス等の契約者口座の明細と、口座管理に関する種々のフラッグは、呼ロギングの明細を保持するための記憶装置とは物理的に分離されている記憶装置に保持されている。その代りに、全ての情報は、１個の大きい記憶装置に存在してもよい。情報を記憶およびアクセスするための特定の装置は重要ではなく、そのような請求口座情報の集合的な記憶は、本明細書においては契約者口座情報および口座に関連した呼ロギング情報のデータベースとされる。そのようなデータベースは、地域的なデータベース、または、全体のネットワークの１つであってもよく、また、地域的もしくは全国的なネットワークにおいて中央に位置されるか、もしくは分配されてもよい。
【図１】
0003723207.tif 000002
【図２】
0003723207.tif 000003
【図３】
0003723207.tif 000004